(57)【特許請求の範囲】
【請求項１】
時刻情報を生成する計時部と、
血糖測定を行う血糖測定部と、
前記血糖測定部が血糖測定を行う血糖測定予定時刻情報を記憶する血糖測定予定時刻情報記憶部と、
前記血糖測定部による血糖測定によって得られた血糖情報を記憶する血糖情報記憶部と、
操作者に血糖測定を促す警報を報知するための警報手段と、
前記血糖情報の管理目標の範囲情報である管理目標血糖値情報を記憶する管理目標血糖値情報記憶部と、を有し、
前記計時部から取得した現在時刻が、前記血糖測定予定時刻に既に到達しており、且つ、前記血糖測定部による血糖測定の実施が特に必要となる特定の特別実施要求情報が存在するときにのみ前記警報手段が報知動作を実行する構成となっており、
前記特別実施要求情報が、所定期間内における前記管理目標血糖値情報の範囲外にある血糖情報の存在情報及び前記血糖測定予定時刻情報に対応する前記血糖情報が、前記血糖情報記憶部に存在しない事象が所定の頻度で存在する情報を含み、
いずれかの前記特別実施要求情報が存在するときに、前記警報手段が報知動作を実行する構成となっていることを特徴とする血糖測定装置。
【請求項２】
薬剤処方情報の変更情報である処方変更情報を記憶する処方変更情報記憶部を有し、
前記特別実施要求情報が、所定期間内における前記処方変更情報の存在情報を含み、
いずれかの前記特別実施要求情報が存在するときに、前記警報手段が報知動作を実行する構成となっていることを特徴とする請求項１に記載の血糖測定装置。
【請求項３】
利用者の歩数を計測する歩数計測部から取得した歩数情報を記憶する歩数情報記憶部と、
当該利用者の目標血糖値情報である目標血糖値情報を記憶する目標血糖値情報記憶部と、
前記目標血糖値情報と、これに対応する推奨歩数情報である目標血糖値及び推奨歩数テーブル情報を記憶する目標血糖値及び推奨歩数テーブル情報記憶部と、
前記特別実施要求情報が、前記歩数情報記憶部の歩数情報が、前記目標血糖値対応推奨歩数情報に比較して劣っていることの存在情報を含み、
いずれかの前記特別実施要求情報が存在するときに、前記警報手段が報知動作を実行する構成となっていることを特徴とする請求項１又は請求項２に記載の血糖測定装置。
【発明の詳細な説明】
【技術分野】
【０００１】
本発明は、例えば、血糖値を計測する血糖測定装置及び血糖測定方法に関するものである。
【背景技術】
【０００２】
従来より、例えば、患者が自ら血糖測定時間を確認し、血糖測定を実施する自己血糖測定（ＳＭＢＧ：ｓｅｌｆ  ｍｏｎｉｔｏｒｉｎｇ  ｏｆ  ｂｌｏｏｄ  ｇｌｕｃｏｓｅ）が行われている（例えば、特許文献１）。
このような自己血糖測定において、患者が自分で血糖測定時間の管理をするため、血糖値の測定時間になっても、患者が測定を忘れてしまう可能性がある。このため、患者に血糖測定時間を認識させるため、アラーム装置を備えた血糖測定装置の提案がなされている。
【先行技術文献】
【特許文献】
【０００３】
【特許文献１】特開２００３−２７１７４４号公報
【発明の概要】
【発明が解決しようとする課題】
【０００４】
しかし、このようなアラーム装置を血糖測定装置に装備しても、患者がアラーム装置のアラーム時間の設定を忘れた場合や、患者がアラーム装置の機能をＯＦＦにし、動作しない状態にしておくことがあり、結果として、患者が血糖測定を忘れてしまうという問題があった。
【０００５】
そこで、本発明は、単に血糖値測定時間の到来を知らせるのではなく、血糖測定が必要な場合で、特定の事象が発生したときだけ、選択的に警報を自動的に発生させることができる血糖測定装置及び血糖測定方法を提供することを目的とする。
【課題を解決するための手段】
【０００６】
上記課題は、本発明にあっては、時刻情報を生成する計時部と、血糖測定を行う血糖測定部と、前記血糖測定部が血糖測定を行う血糖測定予定時刻情報を記憶する血糖測定予定時刻情報記憶部と、前記血糖測定部による血糖測定によって得られた血糖情報を記憶する血糖情報記憶部と、操作者に血糖測定を促す警報を報知するための警報手段と、前記血糖情報の管理目標の範囲情報である管理目標血糖値情報を記憶する管理目標血糖値情報記憶部と、を有し、前記計時部から取得した現在時刻が、前記血糖測定予定時刻に既に到達しており、且つ、前記血糖測定部による血糖測定の実施が特に必要となる特定の特別実施要求情報が存在するときにのみ前記警報手段が報知動作を実行する構成となっており、前記特別実施要求情報が、所定期間内における前記管理目標血糖値情報の範囲外にある血糖情報の存在情報及び前記血糖測定予定時刻情報に対応する前記血糖情報が、前記血糖情報記憶部に存在しない事象が所定の頻度で存在する情報を含み、いずれかの前記特別実施要求情報が存在するときに、前記警報手段が報知動作を実行する構成となっていることを特徴とする血糖測定装置により達成される。
【０００７】
前記構成によれば、計時部から取得した現在時刻が、血糖測定予定時刻に既に到達していると共に、血糖測定部による血糖測定の実施が特に必要となる特別実施要求情報が存在するときにのみ警報手段が報知動作を実行する構成となっている。
このため、単に、血糖測定予定時刻で警報手段が警報を報知するのではなく、血糖値を測定する他の特別な要求の発生を待って初めて報知する構成となっている。また、この警報手段による報知は自動的に実行される。
したがって、従来と異なり、血糖測定予定時刻毎に、警報が報知されることがないので、利用者が、警報手段の警報をうるさいと感じ、その動作をＯＦＦにすることがない。また、真に必要な場合を選択して警報手段が警報を報知するので、その場合に利用者に必要な血糖測定を確実に実施させるよう促すことができる。
また、前記構成によれば、特別実施要求情報が、所定期間内における管理目標範囲外の血糖情報の存在情報を含むので、深刻な低血糖や高血糖の状態を招くおそれのある状態において、血糖測定を確実に実施させることができる。このため、その後の処方の変更を迅速に行い、低血糖や高血糖の状態の発生を防止することが可能となる。
また、前記構成によれば、特別実施要求情報が、血糖測定予定時刻情報に対応する血糖情報が、血糖情報記憶部に所定頻度で存在しないことを含むので、血糖測定の測定忘れの頻度が高くなったことを利用者に伝え、測定忘れを未然に回避することができる。
【０００８】
好ましくは、薬剤処方情報の変更情報である処方変更情報を記憶する処方変更情報記憶部を有し、前記特別実施要求情報が、所定期間内における前記処方変更情報の存在情報を含み、いずれかの前記特別実施要求情報が存在するときに、前記警報手段が報知動作を実行する構成となっていることを特徴とする血糖測定装置である。
【０００９】
前記構成によれば、特別実施要求情報が、所定期間内における処方変更情報の存在情報を含むので、処方変更があったときは、特別に血糖値測定の実施が必要と判断され，新処方の効果等を確実に確認することができる。
【００１４】
好ましくは、利用者の歩数を計測する歩数計測部から取得した歩数情報を記憶する歩数情報記憶部と、当該利用者の目標血糖値情報である目標血糖値情報を記憶する目標血糖値情報記憶部と、前記目標血糖値情報と、これに対応する推奨歩数情報である目標血糖値及び推奨歩数テーブル情報を記憶する目標血糖値及び推奨歩数テーブル情報記憶部と、前記特別実施要求情報が、前記歩数情報記憶部の歩数情報が、前記目標血糖値対応推奨歩数情報に比較して劣っていることの存在情報を含み、いずれかの前記特別実施要求情報が存在するときに、前記警報手段が報知動作を実行する構成となっていることを特徴とする血糖測定装置である。
【００１５】
前記構成によれば、特別実施要求情報が、歩数情報記憶部の歩数情報が、目標血糖値対応推奨歩数情報に比較して劣っていることを含む。したがって、運動不足であることを利用者に伝えると共に、血糖値の測定を確実に促すことができる。
【発明の効果】
【００１７】
以上説明したように、本発明によれば、単に血糖値測定時間の到来を知らせるのではなく、特に血糖測定が必要とされる状態にある場合のみ、選択的に警報を自動的に発生させることができる血糖測定装置及び血糖測定方法を提供することができる。
【図面の簡単な説明】
【００１８】
【図１】本発明の実施の形態にかかる血糖測定装置（血糖計）を有する血糖値管理システムを示す概略図である。
【図２】イベントの表示例を示す概略図である。
【図３】図１の血糖計の主な構成を示す概略ブロック図である。
【図４】各種データ記憶部の内容を示す概略ブロック図である。
【図５】本実施の形態にかかる血糖値管理システムの主な動作等を示す概略フローチャートである。
【発明を実施するための形態】
【００１９】
以下、この発明の好適な実施の形態を添付図面を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
図１は、本発明の実施の形態にかかる血糖測定装置である血糖計１０を有する血糖値管理システム１を示す概略図である。図１に示すように、血糖値管理システム１は、患者等の血糖値を計測する血糖計１０を有している。
この血糖計１０は、患者等が自己の判断で、自宅等で血糖値を測定する自己血糖測定（ＳＭＢＧ）において用いられるものである。
図１に示すように、患者の血液を採取するチップを装着するためのチップ装着部１１や各種データを表示するためのディスプレイ１２を有している。
【００２１】
また、血糖計１０は、患者等が食事等をし、又はインスリン投与をした場合に、かかるイベント情報が実施されたことを血糖計１０に入力するためのイベントボタン１３や、時間設定ボタン１４も有している。
【００２２】
このイベント情報は、血糖情報である血糖値に影響を与える情報であり、具体的には、「食事」、「間食」、「酒宴」及び「インスリン」投与等の情報となっている。
すなわち、患者が食事をする場合、通常の「朝食」「昼食」「夕食」と「間食」又は「酒宴」とでは、そのカロリー摂取量が大きく異なり、「血糖値」に与える影響も大きく異なる。また、多くの場合、食前に行う「インスリン」投与も当然ながら「血糖値」に大きな影響を与える。
【００２３】
そこで、本実施の形態では、これら「食事」「間食」「酒宴」及び「インスリン」投与を、血糖値に影響を与えるイベントとし、患者等がいずれかのイベント情報を選択入力する構成となっている。
具体的には、血糖計１０のディスプレイ１２には、その左側には、血糖値（「１００」）が表示され、右上には「日付（「３月２７日」）、中段には「時刻（「１８時１１分」）、下段にイベントが表示される。なお、図２は、イベントの表示例を示す概略図である。
【００２４】
このディスプレイ１２では、図２に示すように「食事」→「間食」→「酒宴」→「インスリン」の順にイベント表示が変化する構成となっている。このイベント表示の変更は、図１のイベントボタン１３を押下することで実行され、長押しすることで決定される構成となっている。これら「食事」等のイベント表示のデータは、血糖計１０の内部に予め記憶されている。
【００２５】
さらに、血糖計１０は、外部と通信するための通信装置１５を内蔵しており、この通信装置１５を介して、内部に蓄積した血糖値データやイベントデータを図１の血糖値管理装置３に送信することができる構成となっている。また、血糖計１０は、この通信装置１５を介して、図１の歩数計測部である歩数計２からの歩数情報を取得可能な構成となっている。
【００２６】
また、図１に示すように、血糖値管理システム１は、血糖計１０から血糖値情報等を取得して血糖値等を管理する血糖値管理装置３を有している。
また、血糖計１０は、この血糖値管理装置３から、後述する、血糖値の測定の日時等の測定スケジュール情報、当該血糖計１０の利用者の主治医による薬剤処方の変更があった場合の情報である処方変更日時情報、そして、主治医等の医療従事者が、当該利用者のために設定した目標血糖値の範囲（例えば、８１ｍｇ／ｄＬ乃至１３０ｍｇ／ｄＬ）データである管理目標血糖値情報を取得する構成となっている。
また、図１の歩数計２は、例えば、血糖計１０を利用する利用者の歩数情報を取得可能な構成となっており、かかる情報を血糖計１０に送信する構成となっている。
【００２７】
図１の血糖計１０及び血糖値管理装置３は、コンピュータを有し情報を制御している。
このコンピュータは、ＣＰＵ、ＲＡＭ、ＲＯＭ等を有し、これらは、例えばバスを介して配置されている。
このバスは、すべてのデバイスを接続する機能を有し、アドレスやデータパスを有する内部パスである。ＣＰＵは所定のプログラムの処理を行う他、バスに接続されたＲＯＭ等を制御している。ＲＯＭは、各種プログラムや各種情報等を格納している。ＲＡＭは、プログラム処理中のメモリの内容を対比し、若しくはプログラムを実行するためのエリアとしての機能を有する。
【００２８】
図３は、図１の血糖計１０の主な構成を示す概略ブロック図である。図３に示すように血糖計１０は、制御部１６を有し、上述の通信装置１５、イベントボタン１３、時間設定ボタン１４、ディスプレイ１２、計時部である例えば、計時装置１７、そして、実際に血糖値を測定する血糖測定部１８等が制御部１６と接続されている。
また、血糖計１０には、図３に示すように警報手段である例えば、鳴動装置１９を有しており、この鳴動装置１９が動作すると血糖計１０自体が振動すると共に、アラーム音が出力される構成となっている。なお、鳴動装置１９は振動のみ発生するもの、アラーム音のみ発生するもの、あるいは両方を切り換えられるものであってもよい。
【００２９】
また、血糖計１０は、図３に示すように、各種データ記憶部２０を有しており、図４は、この各種データ記憶部２０の内容を示す概略ブロック図である。なお、図３に示す各プログラムや図４の各記憶部の内容については、後述する。
また、図３及び図４のデータの配置例では、各プログラムと各記憶部が分けて記載しているが、これらは、説明の便宜のために分けて記載したものであり、実際にかかる配置とされている必要はない。
【００３０】
図５は、本実施の形態にかかる血糖値管理システム１の主な動作を示す概略フローチャートである。以下、図５のフローチャートに沿って血糖値管理システム１の動作を説明すると共に、図１乃至図４等の構成等も併せて説明する。
【００３１】
先ず、図５のＳＴ１において、図１の血糖計１０は、その血糖測定部１８が測定した血糖情報である血糖値のデータを、図４の血糖情報記憶部である測定血糖値データ記憶部３０に記憶させる。
また、血糖計１０は、図１の血糖値管理装置３から、当該血糖計１０の利用者の血糖測定予定時刻情報である測定スケジュールデータを受信して、図４の測定スケジュールデータ記憶部３１に記憶する。
この測定スケジュールデータは、当該利用者が血糖計１０で血糖値を測定する予定時刻等の情報となっている。
【００３２】
また、血糖計１０は、図１の血糖値管理装置３から、当該血糖計１０の利用者の主治医により薬剤処方が変更となったか否かの変更情報である薬剤の処方変更情報、すなわち、処方変更日時データを受信して、図４の処方変更日時データ記憶部３２に記憶する。
【００３３】
そして、血糖計１０は、図１の血糖値管理装置３から当該血糖計１０の利用者のための主治医が設定した目標血糖値情報である管理目標血糖値データを受信して、図４の管理目標値データ記憶部３３に記憶する。
この管理目標血糖値データとしては、例えば、血糖値のコントロールすべき範囲である、８１ｍｇ／ｄＬ乃至１３０ｍｇ／ｄＬ等となっている。
【００３４】
さらに、血糖計１０は、図１の歩数計２から、当該血糖計１０の利用者の歩数情報を受信し、図４の歩数情報記憶部である歩数データ記憶部３４に記憶される。
【００３５】
次いで、図５のＳＴ２へ進む。ＳＴ２では、血糖計１０がスリープ状態となり、図３の計時装置１７を参照して、１秒に１回、スリープ状態が解除される。
次いで、ＳＴ３へ進む。ＳＴ３では、図３の計時装置１７を参照して、１分経過したか否かが判断される。
【００３６】
ＳＴ３で、１分経過したと判断された場合は、ＳＴ４へ進む。ＳＴ４では、図３の測定時刻判断部（プログラム）２１が動作して、図４の測定スケジュールデータ記憶部３１と図３の計時装置１７を参照して、現在時刻が血糖値の測定予定時刻に到達したか否か判断する。
【００３７】
ＳＴ４で、測定予定時刻に到達したと判断した場合は、ＳＴ５以下に進む。ＳＴ４で、測定予定時刻に到達している場合は、図４の測定スケジュールデータ記憶部３１に収納された測定スケジュールデータに則って、血糖計１０が血糖を測定しなければならない状態となっているので、従来では、この段階でアラームが作動し、血糖計１０の利用者に音声等で報知していた。
しかし、それでは、頻繁にアラームが動作することになり、利用者がそのアラームの動作を嫌がり、アラームをＯＦＦにするような事態を招来していた。
そこで、本実施の形態では、ＳＴ４で測定予定時刻に到達しても直ちに図３の鳴動装置１９を動作させず、血糖計１０の血糖測定部１８による血糖値の測定が特に必要となる状態（特別実施要求状態）の発生を待ち（選択）、その場合に初めて鳴動装置１９を自動的に動作させる構成となっている。
【００３８】
以下、鳴動アラーム１９が動作する具体的な場合について説明する。
図５のＳＴ４で「ＹＥＳ」と判断された場合は、ＳＴ５へ進む。ＳＴ５では、図３の処方変更日時基準期間判断部（プログラム）２２が動作し、図４の処方変更日時データ記憶部３２を参照し、図３の計時装置１７から現在時刻データを取得し、直近の処方変更日時から例えば、１週間以内であるか否かを判断する。
【００３９】
そして、直近の処方変更日時から１週間以内の場合は、特別実施要求情報があると判断し、鳴動装置１９を動作させ（ＳＴ１０）、血糖計１０の利用者に血糖値の測定の必要性を知らせる構成となっている。
すなわち、過去１週間以内に主治医により処方変更があった場合は、新処方の効果等を確認する必要があるため、血糖計本体１８による血糖値の測定が特に必要となる状態（特別実施要求状態）と判断し、鳴動装置１９を動作させる。
このように、１週間以内における処方変更日時データの存在が、特別実施要求情報が存在するときの一例となっている。
【００４０】
次いで、ＳＴ６へ進む。ＳＴ６では、図３の血糖データ探索部（プログラム）２３が動作し、図４の測定血糖値データ記憶部３０と、血糖値の管理目標範囲である管理目標血糖値データが記憶されている管理目標血糖値情報記憶部、すなわち、管理目標血糖値データ記憶部３３を参照し、図３の計時装置１７から現在時刻データを取得し、例えば３日以内に、管理目標値の範囲外のデータである、例えば低血糖値データ（例えば、８０ｍｇ／ｄＬ以下）が存在するか否かを判断する。
【００４１】
そして、ＳＴ６で、低血糖データが存在すると判断された場合は、鳴動装置１９を動作させ（ＳＴ１０）、血糖計１０の利用者に血糖値の測定の必要性を知らせる構成となっている。
すなわち、深刻な状態を招くおそれがある低血糖状態においては、血糖測定を確実に実施させる必要があると判断し、鳴動装置１９を動作させる。
この例のように、３日以内における低血糖値データの存在が、特別実施要求情報が存在するときの一例となっている。なお、前記日数は３日に限定されるものではなく、また、低血糖だけでなく高血糖のときも同様に実施できるものである。
【００４２】
次いで、ＳＴ７へ進む。ＳＴ７では、図３の未測定判断部（プログラム）２４が動作し、図４の測定スケジュールデータ記憶部３１及び測定血糖値データ記憶部３０を参照して、例えば３回連続して血糖計１０の測定がなされていないか否かを判断する。
【００４３】
そして、ＳＴ７で、３回連続して測定が行われていないと判断された場合は、鳴動装置１９を動作させ（ＳＴ１０）、血糖計１０の利用者に血糖値の測定の必要性を知らせる構成となっている。
すなわち、所定の頻度で血糖測定忘れが生じた場合、血糖計１０によって警報が報知され、利用者の血糖値の測定忘れを未然に防ぐことができる。
このように、３回連続の血糖値の未測定状態が、特別実施必要状態が実施必要な状態にあるときの一例となっている。なお、測定忘れの頻度は３回連続に限定されず、２回連続や４回以上連続に設定してもよいし、所定の測定回数における測定忘れの発生数（例えば、５回中３回など）としてもよい。
【００４４】
次いで、ＳＴ８へ進む。ＳＴ８では、図３の推奨歩数データ取得部（プログラム）２５が動作して、図４の管理目標血糖値データ記憶部３３を参照して、管理目標血糖値データを取得する。
そして、目標血糖値及び推奨歩数テーブル情報である、図４の推奨歩数テーブル記憶部３６を参照して、この管理目標血糖値データに対応する推奨歩数データを取得し、図４の当該推奨歩数データ記憶部３７に記憶する。
【００４５】
次いで、ＳＴ９へ進む。ＳＴ９では、図３の推奨歩数達成判断部（プログラム）２６が動作して、図４の歩数データ記憶部３４内の歩数データが、当該推奨歩数データ記憶部３７内の当該推奨歩数データを超えているか否か（歩数情報が当該推奨歩数データに劣っているか否か）を判断する。
【００４６】
そして、ＳＴ９で、歩数データが当該推奨歩数データを超えていない（劣っている）場合は、鳴動装置１９を動作させ（ＳＴ１０）、血糖計１０の利用者に血糖値の測定の必要性を知らせる構成となっている。
すなわち、血糖計１０の利用者に運動不足であることを知らしめ、血糖測定を確実に行なうよう促すために、鳴動装置１９を動作させる。
このように、歩数データが当該推奨歩数データを超えていないことが、特別実施要求情報が存在するときの一例となっている。
【００４７】
このように、本実施の形態によれば、従来と異なり、血糖管理に影響する事象が起らない限り、血糖測定予定時刻毎に、警報が報知されるということがないので、利用者が、鳴動装置１９の作動を不快に感じることが少なくなり、その警報機能をＯＦＦにすることがなくなる。また、血糖管理に影響を及ぼす事象が存在するときだけ、鳴動装置１９が警報を自動的に報知するので、利用者にその事象が存在することを認識させ、必要な血糖測定を確実に実施させることができる。
【００４８】
本発明は、上述の各実施の形態に限定されない。
【符号の説明】
【００４９】
１・・・血糖値管理システム、２・・・歩数計、３・・・血糖値管理装置、１０・・・血糖計、１１・・・チップ装着部、１２・・・ディスプレイ、１３・・・イベントボタン、１４・・・時間設定ボタン、１５・・・通信措置、１６・・・制御部、１７・・・計時装置、１８・・・血糖測定部、１９・・・鳴動装置、２０・・・各種データ記憶部、２１・・・測定時刻判断部（プログラム）、２２・・・処方変更日時基準期間判断部（プログラム）、２３・・・血糖データ探索部（プログラム）、２４・・・未測定判断部（プログラム）、２５・・・推奨歩数データ取得部（プログラム）、２６・・・推奨歩数達成判断部（プログラム）、３０・・・測定血糖値データ記憶部、３１・・・測定スケジュールデータ記憶部、３２・・・処方変更日時データ記憶部、３３・・・管理目標値データ記憶部、３４・・・歩数データ記憶部、３６・・・推奨歩数テーブル記憶部、３７・・・当該推奨歩数データ記憶部
【図１】
0005562094.tif 000002
【図２】
0005562094.tif 000003
【図３】
0005562094.tif 000004
【図４】
0005562094.tif 000005
【図５】
0005562094.tif 000006